(57)【要約】【課題】モータを内蔵したヘッド部を有する電気カミソリにおいて、ヘッド部の首振り範囲を大きくするために防水蓋材の上下厚みを小さくしても、ヘッド部に信頼性の高い防水構造を形成できるようにした電気カミソリを提供する。【解決手段】ヘッド部１をグリップ部２に対して相対的に移動可能にして構成した電気カミソリである。上方が開口せる容器状のヘッドケース７内にモータ４を内蔵すると共にヘッドケース７の上方にモータ４と連結して内刃５を配置する。ヘッドケース７の上方開口７ａに防水蓋材８を水密的に固定する。外刃６を備えたヘッドカバー１０をその内部に内刃５及び防水蓋材８を収納しつつヘッドケース７に着脱自在に係合する。【選択図】　　　　図１
2004016527.tif 000002
【特許請求の範囲】
【請求項１】
電源供給を行う電池や回路部を内蔵するグリップ部と、電池からの給電で駆動するモータやこのモータの駆動により摺動する内刃、及びこの内刃の外面に沿って配置した外刃を備えたヘッド部とを有し、このヘッド部をグリップ部に対して相対的に移動可能にして構成した電気カミソリにおいて、上方が開口せる容器状のヘッドケース内にモータを内蔵すると共にヘッドケースの上方にモータと連結して内刃を配置し、このヘッドケースの上方開口に防水蓋材を水密的に固定し、外刃を備えたヘッドカバーを、その内部に内刃及び防水蓋材を収納し、ヘッドケースに着脱自在に係合したことを特徴とする電気カミソリ。
【請求項２】
ヘッドケースに装着したヘッドカバーが防水蓋材の上部で内刃を収納する閉空間を形成し、ヘッドカバーのヘッドケースへの係合部分を上記閉空間外に位置させたことを特徴とする請求項１に記載の電気カミソリ。
【請求項３】
防水蓋材の上面をフラット形状に形成したことを特徴とする請求項１に記載の電気カミソリ。
【請求項４】
外刃を備えたカバー体の内面に枠体を取付けてヘッドカバーを形成し、この枠体から垂下片を下方に垂設すると共に、この垂下片の先端にヘッドケースに引っ掛け係合させるカバー側係止爪を突設したことを特徴とする請求項１に記載の電気カミソリ。
【請求項５】
ヘッドカバーをヘッドケースに着脱させるためのカバー着脱釦をヘッドケースの外表面に設け、カバー着脱釦の下端をヘッドケースに枢支させてカバー着脱釦の上端を内外方向に突没自在にするようにしたことを特徴とする請求項１に記載の電気カミソリ。
【請求項６】
ヘッドケースに装着したヘッドカバーの外表面を、ヘッドケースに設けたカバー着脱釦の外表面と略面一にしたことを特徴とする請求項５に記載の電気カミソリ。
【請求項７】
カバー着脱釦に上方に突出する突出片を設け、このカバー着脱釦の下端に枢支突起を突設し、ヘッドケースの外表面に上下長い凹溝を形成し、この凹溝の一部にトンネル部を設け、カバー着脱釦とヘッドケースの外表面との間に弾性体を介装し、トンネル部を有した凹溝内にカバー着脱釦の突出片を挿入すると共に、ヘッドケースの外表面に形成した枢支孔にカバー着脱釦の枢支突起を枢支させ、上端が回動端となるようにカバー着脱釦をヘッドケースに取付けたことを特徴とする請求項５に記載の電気カミソリ。
【請求項８】
外刃を備えたカバー体の内面に枠体を取付けてヘッドカバーを形成し、この枠体に、駆動子に装着してトリマ刃を連動させるトリマ駆動杆を連通させる切り欠き部を形成し、この切り欠き部の縁部に外方且つ下方に突出する段部を形成し、ヘッドケースにヘッドカバーを装着したとき、防水蓋材の上面に枠体の下面を当接すると共に、段部の下縁を防水蓋材の外表面に引っ掛けたことを特徴とする請求項１に記載の電気カミソリ。
【請求項９】
外刃を備えたカバー体の内面に枠体を取付けてヘッドカバーを形成し、ヘッドカバーをヘッドケースに装着した状態で、ヘッドケースに防水蓋材を装着してなるヘッド部本体の外表面にカバー体が覆い被さるようにし、カバー体の内面に内方に突出する係合突片を設けると共に、この係合突片を電気カミソリの肌に沿わせる方向である前後方向に面するようにした板片状に形成し、この係合突片をヘッド部本体の外表面に設けたスリット状の溝部に嵌合させたことを特徴とする請求項１に記載の電気カミソリ。
【請求項１０】
外刃を備えたカバー体の内面に枠体を取付けてヘッドカバーを形成し、ヘッドカバーをヘッドケースに装着した状態で、ヘッドケースの外表面にカバー体が覆い被さるようにし、ヘッドケースの外表面のカバー体の下縁が重なって位置する部位に、カバー体の下縁形状と同一形状の段部を設けたことを特徴とする請求項１に記載の電気カミソリ。
【発明の詳細な説明】
【０００１】
【発明の属する技術分野】
本発明は、電気カミソリに関し、詳しくは、モータが内蔵されたヘッド部の防水構造に関する発明である。
【０００２】
【従来の技術】
一般的に、電気カミソリは、グリップ部に電源電池やモータが内蔵され、このグリップ部の上部にモータによって駆動する刃を備えたヘッド部が配置され、グリップ部を手で把持して、ヘッド部の刃を肌面に沿わせて髭を剃るようにされている。この電気カミソリの例として、たとえば、特開２０００−５４６１（図１１，１２）が挙げられる。この電気カミソリは、グリップ部２に電源電池（図示せず）やモータ４が内蔵されると共に、このグリップ部２の上部にモータ４に連結した内刃５を配置し、ヘッド部１の外殻を形成せるヘッドカバー１０にネット状、スリット状の外刃６を設けると共に、この外刃６の内面に内刃５を摺接させるようにヘッドカバー１０をグリップ部２の上部に被せて構成されており、肌面に外刃６の外面を沿わせることで、外刃６の外から髭をヘッドカバー１０内に導入させ、この外刃６と内刃５との間で髭を切断することで髭が剃られるようになっているのである。
【０００３】
ここで、切断後の髭の切りかすは、髭がヘッドカバー１０内で切断されるからヘッドカバー１０内に溜まるものであって、そのままにしておくと、臭いの発生などの原因になってしまうのである。しかして、この電気カミソリにあっては、ヘッドカバー１０内に溜まった切断後の髭の切りかすを確実に除去できるよう、ヘッド部１を水などの液体やブラシできれいに洗浄できるようにされている、つまり、電源電池やモータ４が内蔵されるグリップ部２には内部に液体が侵入しないように防水構造が採られているのである。つまり、モータ４等が内蔵されるグリップ部２は、上方が開口せる容器状のハウジング本体７２の上方開口７２ａに間にＯリング７３を介在させて防水蓋材８で蓋をすることで防水構造が形成されている。そして、この防水蓋材８にはヘッドカバー１０が係脱自在に被せられ、グリップ部２の上部にヘッド部１を設けるようにしているのである。
【０００４】
【発明が解決しようとする課題】
ところで、電気カミソリには、刃を備えたヘッド部１がグリップ部２に対して相対的に移動可能に、いわゆる首振り可能にされ、多様な表面形状の肌面にヘッド部１を的確に沿わせ、髭の剃り残しを無くするようにしたものも、多く提案されているが、特に、ヘッド部１にモータ４を内蔵し、グリップ部２とヘッド部１との間にグリップ部２に内蔵した電源電池からモータ４への配線を配置すると共にこの配線を撓み自在にし、ヘッド部１の首振り範囲を大きくした電気カミソリにあっては、モータ４を内蔵したヘッド部１にも防水構造を採らねばならないのであり、上述したグリップ部２と同構成の防水構造が形成されるのである。
【０００５】
ここで、首振り可能にされたヘッド部１にあっては、本来的に、その高さ寸法を小さくすることでグリップ部２とヘッド部１との隙間寸法を広く設定し、ヘッド部１の首振り範囲をより大きくし、ヘッド部１の肌面への追従性能を向上させることが求められるのであって、そのため、防水蓋材８の上下厚み寸法を薄く形成させることがしばしば行われる。
【０００６】
しかしながら、この防水蓋材８の上下厚み寸法を薄く形成させることは、防水蓋材８の剛性の低下を招くものであって、たとえば、ヘッドカバー１０を指で上方に摘んだ際などには、ヘッドカバー１０が係合する防水蓋材８が上方に引っ張られて変形をすることがあり、この防水蓋材８が変形にすると、防水蓋材８とハウジング本体７２との間に隙間を生じさせてしまい、ヘッド部１の防水信頼性を低下させてしまうといった問題があった。
【０００７】
本発明は上記の点に鑑みてなされたものであり、モータを内蔵したヘッド部を有する電気カミソリにおいて、ヘッド部の首振り範囲を大きくするために防水蓋材の上下厚みを小さくしても、ヘッド部に信頼性の高い防水構造を形成できるようにした電気カミソリを提供することを課題とするものである。
【０００８】
【課題を解決するための手段】
上記課題を解決するために本発明に係る電気カミソリは、電源供給を行う電池３や回路部を内蔵するグリップ部２と、電池３からの給電で駆動するモータ４やこのモータ４の駆動により摺動する内刃５、及びこの内刃５の外面に沿って配置した外刃６を備えたヘッド部１とを有し、このヘッド部１をグリップ部２に対して相対的に移動可能にして構成した電気カミソリにおいて、上方が開口せる容器状のヘッドケース７内にモータ４を内蔵すると共にヘッドケース７の上方にモータ４と連結して内刃５を配置し、このヘッドケース７の上方開口７ａに防水蓋材８を水密的に固定し、外刃６を備えたヘッドカバー１０を、その内部に内刃５及び防水蓋材８を収納し、ヘッドケース７に着脱自在に係合したことを特徴とする。これによると、ヘッドカバー１０は防水蓋材８ではなく、ヘッドケース７に着脱自在にされるので、たとえ、ヘッドカバー１０に外的負荷がかかってヘッドケース７から外れようとしても、その際に防水蓋材８には特にヘッドカバー１０やヘッドケース７から負荷がかかるものではなく、ヘッドケース７の防水蓋材８による水密構造を変わらず維持させることができる。
【０００９】
また、ヘッドケース７に装着したヘッドカバー１０が防水蓋材８の上部で内刃５を収納する閉空間を形成し、ヘッドカバー１０のヘッドケース７への係合部分を上記閉空間外に位置させたことも好ましい。これによると、髭の切りかすをヘッドケース７とヘッドカバー１０とで形成せる閉空間内にとどまらせることで、髭の切りかすの周囲への飛散を防止することができ、また、通常部位に比べて形状が複雑にならざるを得ないヘッドカバー１０のヘッドケース７への係合部分が上記閉空間の外に位置しているので、閉空間内を簡素な形状にでき、閉空間を容易に清掃できて髭の切りかすを簡単に取り除くことができる。
【００１０】
また、防水蓋材８の上面をフラット形状に形成したことも好ましい。これによると、閉空間を形成する防水蓋材８の上面がフラット形状に形成されたので、閉空間からの髭の切りかすの除去を容易に行わせることができる。
【００１１】
また、外刃６を備えたカバー体２０の内面に枠体２１を取付けてヘッドカバー１０を形成し、この枠体２１から垂下片６２を下方に垂設すると共に、この垂下片６２の先端にヘッドケース７に引っ掛け係合させるカバー側係止爪６３を突設したことも好ましい。これによると、枠体２１によって行われるヘッドカバー１０のヘッドケース７への装着は、カバー体２０の形状に関わらず行われることから、カバー体２０の形状を小さくでき、結果、ヘッド部１の小型化を図ることができる。
【００１２】
また、ヘッドカバー１０をヘッドケース７に着脱させるためのカバー着脱釦２５をヘッドケース７の外表面に設け、カバー着脱釦２５の下端をヘッドケース７に枢支させてカバー着脱釦２５の上端を内外方向に突没自在にしたことも好ましい。これによると、カバー着脱釦２５はその下端を固定端としてその上端を回動端とする構造にされていることから、ヘッドケース７の下に位置したグリップ部２を把持した手が誤ってカバー着脱釦２５に触れたとしても、このカバー着脱釦２５はその下端では回動しにくく、つまりカバー着脱釦２５を誤って押圧してしまう可能性を低減でき、カバー着脱釦２５の誤作動を防止することができる。
【００１３】
また、ヘッドケース７に装着したヘッドカバー１０の外表面を、ヘッドケース７に設けたカバー着脱釦２５の外表面と略面一にしたことも好ましい。これによると、不意に指が電気カミソリの外表面にあたった場合にも、その指がカバー着脱釦２５だけに当たってカバー着脱釦２５を誤って押してしまうことを防止でき、つまり、カバー着脱釦２５の誤作動を防止することができる。
【００１４】
また、カバー着脱釦２５に上方に突出する突出片５４を設け、このカバー着脱釦２５の下端に枢支突起５５を突設し、ヘッドケース７の外表面に上下長い凹溝５９を形成し、この凹溝５９の一部にトンネル部５８を設け、カバー着脱釦２５とヘッドケース７の外表面との間に弾性体を介装し、トンネル部５８を有した凹溝５９内にカバー着脱釦２５の突出片５４を挿入すると共に、ヘッドケース７の外表面に形成した枢支孔６０にカバー着脱釦２５の枢支突起５５を枢支させ、上端が回動端となるようにカバー着脱釦２５をヘッドケース７に取付けたことも好ましい。これによると、ヘッドケース７にカバー着脱釦２５を装着させるのに、特に他部品を使用しないで、カバー着脱釦２５とヘッドケース７との間の係合や嵌合によって行うことができ、部材点数の低減や取付け作業の容易化を図ることができる。
【００１５】
また、外刃６を備えたカバー体２０の内面に枠体２１を取付けてヘッドカバー１０を形成し、この枠体２１に、駆動子１６に装着してトリマ刃３７を連動させるトリマ駆動杆３８を連通させる切り欠き部６６を形成し、この切り欠き部６６の縁部に外方且つ下方に突出する段部６７を形成し、ヘッドケース７にヘッドカバー１０を装着したとき、防水蓋材８の上面に枠体２１の下面を当接すると共に、段部６７の下縁を防水蓋材８の外表面に引っ掛けたことも好ましい。これによると、ヘッドカバー１０をヘッドケース７に装着した状態では、段部６７の下縁が防水蓋材８の外表面に引っ掛かることで、切り欠き部６６近傍の枠体２１の剛性強度が向上しており、たとえヘッドカバー１０に外的負荷が加わったとしても、切り欠き部６６近傍の枠体２１の形状は維持され、切り欠き部６６に連通したトリマ駆動杆３８の正常動作を確保することができる。
【００１６】
また、外刃６を備えたカバー体２０の内面に枠体２１を取付けてヘッドカバー１０を形成し、ヘッドカバー１０をヘッドケース７に装着した状態で、ヘッドケース７に防水蓋材８を装着してなるヘッド部本体９の外表面にカバー体２０が覆い被さるようにし、カバー体２０の内面に内方に突出する係合突片６８を設けると共に、この係合突片６８を電気カミソリの肌に沿わせる方向である前後方向に面するようにした板片状に形成し、この係合突片６８をヘッド部本体９の外表面に設けたスリット状の溝部６９に嵌合させたことも好ましい。これによると、ヘッドカバー１０をヘッドケース７に装着した状態では、前後方向に面する板片状の係合突片６８がスリット状の溝部６９に嵌合されるので、肌面からヘッドカバー１０にかかる前後方向の荷重に対して特に耐荷重性をもってヘッドカバー１０をヘッドケース７に装着でき、ヘッドケース７に装着したヘッドカバー１０の剛性を向上させることができる。
【００１７】
また、外刃６を備えたカバー体２０の内面に枠体２１を取付けてヘッドカバー１０を形成し、ヘッドカバー１０をヘッドケース７に装着した状態で、ヘッドケース７の外表面にカバー体２０が覆い被さるようにし、ヘッドケース７の外表面のカバー体２０の下縁が重なって位置する部位に、カバー体２０の下縁形状と同一形状の段部７１を設けたことも好ましい。これによると、ヘッドカバー１０をヘッドケース７に装着する際に、きちんと装着されないと、カバー体２０の下縁とヘッドケース７の外表面に刻設された段部７１とがずれて位置し、これは見た目にも明白であるから、ヘッドカバー１０のヘッドケース７への装着状態の成否の確認を容易に行わせることができる。
【００１８】
【発明の実施の形態】
以下、本発明を添付図面に示す実施形態に基づいて説明する。
【００１９】
図１乃至図１０に本発明の実施の形態の例を示す。この電気カミソリは、ヘッド部１とグリップ部２とを有し、ヘッド部１をグリップ部２の上部に配置して構成されている。グリップ部２は手で把持する部位であるが、その内部には電源供給を行う電池３や回路部（図示せず）を内蔵している。また、ヘッド部１はその上端にカミソリ刃を有して肌面に沿わせて髭を剃る部位であるが、電池３からの給電で駆動するモータ４を内蔵しているものである。ここで、カミソリ刃は、モータ４の駆動により摺動する内刃５と、この内刃５の外面に沿って配置した外刃６とで構成されている。なお、ヘッド部１はグリップ部２に対して相対的に移動可能、つまり首振り可能にされている。以下、矢印Ａ方向を上下方向と、矢印Ｂ方向を左右方向と、矢印Ｃ方向を前後方向と称して、説明する。
【００２０】
ヘッド部１は、図１に示すように、ヘッドケース７と防水蓋材８を一体化してなるヘッド部本体９と、内刃５と、外刃６を備えたヘッドカバー１０とで構成される。
【００２１】
図３に示すように、ヘッドケース７は上方開口７ａを有する容器状のもので、その内部にはリニアモータから成るモータ４が内装される。このモータ４は、モータ基台１１と一体的に結合した状態でヘッドケース７内に上方開口７ａから挿入され、下側からヘッド下ネジ１２ｂによって固定される。なお、モータ４の下側から延びているリード線１３は、モータ４を駆動させるためにその先端がグリップ部２内に収納された回路部に接続されるものであり、ヘッドケース７の下部に設けた上リード線挿通孔（図示せず）から下側へ導出されている。
【００２２】
モータ４を内蔵したヘッドケース７は、上から防水蓋材８、駆動子防水ゴム１４、押さえ板１３をヘッド上ネジ１２ａにて固定される。ここで、防水蓋材８はその下面に防水用のゴムが設けられており、防水蓋材８でヘッドケース７の上方開口７ａに蓋をすると、ヘッドケース７と防水蓋材８とでなるヘッド部本体９に防水構造が形成されるようになっている。この防水蓋材８の上面には、略全面に亘る凹部８ａが形成され、この凹部８ａ内に押さえ板１３が収納されることで略面一形状を有するようにされている。また、この防水蓋材８の上面中央には、モータ４の駆動子１６をヘッド部本体９の上方に突出させる駆動子挿通孔１７が設けられるが、この駆動子１６と駆動子挿通孔１７との間には駆動子防水ゴム１４が介在されて防水構造が形成されている。
【００２３】
この駆動子１６はその先端で内刃５を装着し、内刃５をヘッド部本体９の上部に配置すると共に、モータ４の駆動により内刃５を左右方向に摺動させるようにしている。ここで、内刃５には、ネット状の外刃６ａに対応した内刃５ａと、スリット状の外刃６ｂに対応した内刃５ｂとがある。この駆動子１６と内刃５ａとの装着は、駆動子１６の中に内刃押上バネ１８がバネストッパ１９により保持されており、その上から内刃５ａが結合することにより、内刃５ａが上方に付勢された状態となっている。ここで、便宜上、ヘッド部本体９に内刃５ａを装着したものをヘッドブロックと称する。
【００２４】
ヘッドカバー１０は、図４に示すように、外刃６を備えたカバー体２０の内面に枠体２１を取付けて形成されている。このカバー体２０には、ネット状の外刃６ａを備えた前カバー体２０ａと後カバー体２０ｂ、スリット状の外刃６を備えた中央カバー体２０ｃがあり、前から前カバー体２０ａ、中央カバー体２０ｃ、後カバー体２０ｂを順に並べ、上下に開口した矩形状枠体である枠体２１にそれぞれ取付けている。ネット状、スリット状の外刃６ａ，６ｂは、各カバー体２０に対して独立して上下にフロート自在（移動可能）に備えられている。なお、図中５ｂはスリット状の外刃６ｂに対応する内刃であり、中央カバー体２０ｃに左右に摺動自在に設けられている。この内刃５ｂは駆動子１６に装着したスリット駆動杆２２に連結され、他の内刃５ａと連動して摺動駆動されるようになっている。また、図中２３は内刃５ｂをスリット状の外刃６ｂに押し付ける内刃押上バネであり、図中２４は内刃５ｂ及びスリット状の外刃６ｂを枠体２１に対して上下にフロート自在にするスリットフロートバネである。このヘッドカバー１０は、ヘッドブロックの上部に被せるように、ヘッドケース７の左右方向の両端部に設けたカバー着脱釦２５を介して着脱自在に取付けられる。
【００２５】
グリップ部２は、図５に示すように、ゴム製のＯリング２６を挟んで前後のハウジング半体２７，２８をハウジング固定用ネジ２９にて結合させることで防水構造が備えられた本体ハウジング３０によって構成されている。この本体ハウジング３０内には、電源供給を行う電池３や回路部、それらを保持する電池基台３１が内装される。本体ハウジング３０の前面にはスイッチ３２を挟み込んだ状態で前面パネル３３が添設され、本体ハウジング３０の後面には後面パネル３４が添設される。ここで、前面パネル３３の前面上部には滑り止め用のエラストマーよりなる弾性材３５が配置されている。また、後面パネル３４の上端にはＵ字凹所３４ａが形成されており、このＵ字凹所３４ａにはトリマブロック３６が収納配置されるようになっている。なお、このトリマブロック３６は、使用時に上方にずらすと共に不使用時には下方にすらずように上下に移動可能に設けられており、その上端にはトリマ刃３７が備えられている。このトリマ刃３７は、可動刃と固定刃とで成り、固定刃に対して可動刃が摺動するようになっている。この可動刃は、使用時に駆動子１６に装着したトリマ駆動杆３８に連結されて駆動されるようになっている。なお、図中３９はハウジング固定用ネジ２９の目隠し用蓋材である。
【００２６】
また、前部のハウジング半体２７の上部には前壁２７ａが立設すると共に、後部のハウジング半体２８の上部には後壁２８ａが立設している。この前壁２７ａと後壁２８ａとは対向して立設しており、その間にはヘッド部１をグリップ部２に連結させるヘッド部支持機構が配置される。
【００２７】
このヘッド部支持機構は、図５，６に示すように、ヘッド支持バネ４１によって上方に付勢された１対のヘッド支持部材４２により構成されている。ヘッド支持バネ４１は下端をグリップ部２に接地し、上端をヘッド支持部材４２に連結させ、ヘッド支持部材４２を上方に付勢する部材である。詳述すると、このヘッド支持バネ４１は、上下のバネ受け部材４１ａ，４１ａを有し、この上下のバネ受け部材４１ａ，４１ａの間にコイルバネ４１ｂと板バネ４１ｃを介在させて構成されている。また、ヘッド支持部材４２は、側面視で上方に開口せるコ字状に形成された部材であり、その上先端部にはヘッド突起挿入孔４３がそれぞれ設けられている。そして、このヘッド支持部材４２は、ヘッドケース７の前面及び後面に突設したヘッド突起４４をヘッド突起挿入孔４３に遊嵌することで、ヘッドケース７の下端部分の左右にそれぞれ取付けされる。ヘッドケース７に取付けた１対のヘッド支持部材４２は、前壁２７ａ内面と後壁２８ａ内面にそれぞれ設けた１対の上下に長い溝部４５に上下移動可能に収納され、ヘッドブロックをグリップ部２に対してそれぞれ上下に移動可能にさせている。また、ヘッドケース７の下部にはヘッド規制部材４６が装着され、このヘッド規制部材４６の前部に設けたＴ状の規制片４６ａを前壁２７ａに設けた規制孔４７の前縁部分に上下に移動自在に係合させることで、ヘッドブロックが前後方向に移動しないよう規制されている。しかして、ヘッドブロックは、上記ヘッド部支持機構によって、グリップ部２に対して左右に揺動自在（首振り自在）にされているのである。
【００２８】
なお、このヘッド部支持機構には、ヘッドブロックの首振り範囲を適宜規制する首振り規制手段が設けられている。この首振り規制手段は、ヘッドケース７の下面とグリップ部２との間に回転自在に配置されるレバー部材４８と、ヘッドケース７に固定されレバー部材４８の規制突起４９を受けるクリック部材５０とで構成されている。このレバー部材４８は、棒状の回転軸４８ａの外径面に数種類の長さを違えた規制突起４９を設けて構成されており、この回転軸４８ａを軸廻りに回転させると、各規制突起４９がタイミングがずれて起倒するようにされている。なお、このレバー部材４８は、その長手方向の一端がグリップ部２の左右方向の端面に設けた扇型の溝部５１に導出され、この一端に装着した操作子５２により回転操作されるようになっている。この起倒する各規制突起４９の先端は、クリック部材５０にクリック係合できるように球形状に形成されており、起立高さの異なる規制突起４９を選択的にクリック部材５０にクリック係合させることで、ヘッドブロックの揺動範囲（首振り範囲）を数段階に規制させているのである。
【００２９】
なお、ヘッドケース７に内蔵されたモータ４から延出されてグリップ部２の回路部に至るリード線１３は、ヘッド部１とグリップ部２と間に位置する部位ではゴムチューブ４０に挿通させている。このゴムチューブ４０は、長さ方向の両端で径が大きく形成された太径部４０ａを設けており、この各太径部４０ａをヘッドケース７の下面の上リード線挿通孔とグリップ部２の上面に設けた下リード線挿通孔とにそれぞれ水密的に保持させている。
【００３０】
上記には電気カミソリの概略構成を説明したが、この電気カミソリにあっては、グリップ部２に対して首振り自在にされたヘッド部１にモータ４を内蔵したことで、グリップ部２とヘッド部１との間で機械的な駆動伝達を行わずに電気の給電のみを行わせ、つまりグリップ部２とヘッド部１との間にモータ４の駆動子１６を配置する代わりに、可撓性有するゴムチューブ４０に保護させたリード線１３を配置するようにしていることで、グリップ部２にモータ４を内蔵した電気カミソリに比べ、ヘッド部１の首振り範囲を大きく設定し、ヘッド部１の肌面への追従性能を向上させているのである。
【００３１】
そして、この電気カミソリでは、ヘッド部１にモータ４を内蔵しているので、上述したように、ヘッドケース７の上方開口７ａに防水蓋材８で蓋をして、モータ４を内蔵したヘッド部本体９に水密構造を形成させているが、このヘッド部本体９の水密構造は、カバー着脱釦２５を介して行われるヘッドカバー１０のヘッドケース７への着脱構造によって、防水信頼性の向上が図られている。以下、詳述する。
【００３２】
カバー着脱釦２５は、図３，７に示すように、上下方向の略中央部分にバネ受け突起５３を有し、上端に上方に突出する突出片５４を有し、下端に枢支突起５５を有して構成されている。この突出片５４の上端には外方に突出する釦側係止爪５６が形成されており、枢支突起５５はその前後で１対のスリット５７に挟まれて上下方向に弾性変形可能にされている。このカバー着脱釦２５が設けられるヘッドケース７の外表面における左右方向の両端部には、一部トンネル状のトンネル部５８が形成された上下に長い凹溝５９がそれぞれ形成され、また、この凹溝５９の下端部分には下方に穿設した枢支孔６０が形成されている。
【００３３】
そして、このカバー着脱釦２５は、弾性体であるコイルスプリング状の釦用バネ６１をバネ受け突起５３に外嵌し、この釦用バネ６１をカバー着脱釦２５とヘッドケース７の外表面との間に介在させ、突出片５４をトンネル部５８をくぐらせてヘッドケース７の凹溝５９内に挿入し、枢支突起５５を枢支孔６０に引っ掛け係合させることで、ヘッドケース７の左右方向の両側面にそれぞれ取付けられる（図８）。ヘッドケース７に取り付けたカバー着脱釦２５は、下端が回動中心となって上端が内外に回動自在になっており、つまり釦側係止爪５６が釦用バネ６１の付勢を受けつつ内外に移動可能にされている。なお、上述したように、カバー着脱釦２５は簡単な係合や嵌め込みによってヘッドケース７に取付けられることから、部材点数の低減や取付け作業の容易化が図られている。
【００３４】
一方、ヘッドカバー１０は、図４に示すように、カバー体２０を枠体２１に固定させて形成されているが、この枠体２１の外表面における左右方向の両端部には、垂下片６２が下方に垂設され、この垂下片６２の下端部分にカバー側係止爪６３が内方に突出して突設されている。また、この枠体２１の下面は面一に形成されており、外周の各辺における下縁にはそれぞれ左右２箇所に位置決め突起６４が形成されている。なお、この位置決め突起６４は、防水蓋材８の上面外縁の適所に切り欠かれた位置決め凹所６５に嵌り込む部位である。また、枠体２１の後部の下面における左右方向の中央部には上方に凹状となる切り欠き部６６が形成され、この切り欠き部６６の縁部には外方に凸となる段部６７が形成されている。この段部６７の下縁は枠体２１の下面より下方に至るように形成されている。なお、上記切り欠き部６６は、駆動子１６に装着したトリマ駆動杆３８をトリマ刃３７の可動刃に連結させるように連通させる部位である。
【００３５】
そして、このヘッドカバー１０は、図９に示すように、カバー側係止爪６３をカバー着脱釦２５の釦側係止爪５６に引っ掛け係合させることで、ヘッドケース７に装着されるようになっている。ヘッドカバー１０をヘッドケース７に装着した状態は、枠体２１の位置決め突起６４を防水蓋材８の位置決め凹所６５に嵌め込んで枠体２１の防水蓋材８への位置決めが為され、段部６７の下縁を防水蓋材８の後部の側面上部に引っ掛けて、枠体２１の下面を防水蓋材８の上面外縁に沿って当接させた状態になる。なお、ヘッドケース７に装着したヘッドカバー１０は、カバー着脱釦２５を内方に押圧することで、釦側係止爪５６が内方に引っ込んで釦側係止爪５６とカバー側係止爪６３との係合を外し、ヘッドケース７からヘッドカバー１０が取り外せるようになっている。
【００３６】
上述したように、ヘッドカバー１０はカバー着脱釦２５を介してヘッドケース７に装着されている。しかして、たとえヘッドカバー１０に上方への外的負荷がかかってヘッドケース７から外れようとしても、その際に防水蓋材８には特にヘッドカバー１０やヘッドケース７から負荷がかからないようになっており、したがって、ヘッドカバー１０に外的荷重がかかった場合にもヘッドケース７の防水蓋材８による水密構造には影響がほとんどなく、ヘッド部本体９の水密構造の防水信頼性の向上が図られているのである。
【００３７】
更に言うと、電気カミソリには本来的に、多様な形状を有する肌面にヘッド部１を適宜沿わせ得るよう、ヘッド部１の首振り範囲を大きく設定することが求められており、これは、たとえばヘッド部１を小さく形成してグリップ部２とヘッド部１に隙間寸法を広く設定することで行われるものである。本例の電気カミソリにあっては、ヘッドカバー１０のヘッドケース７への係合が枠体２１の下方位置で行われているため、ヘッドカバー１０の高さ寸法を小さくし、ヘッド部１を小さく形成させることができる。なお、ヘッド部１の高さ寸法を小さくするようにヘッドカバー１０の高さ寸法を小さくすると、ヘッドカバー１０は内刃５の押上力を強く受けて上方に押し上げられるようになるが、上述したようにヘッドカバー１０に力がかかってもヘッド部本体９の水密構造には影響がなく、ヘッド部本体９の防水性能が損われるといった問題は発生しない。したがって、ヘッドカバー１０をヘッドケース７に装着させた本例の電気カミソリにあっては、ヘッドカバー１０の高さ寸法を小さく設定し、ヘッド部１の首振り範囲を更に大きく設定するといったことも可能にされているのである。
【００３８】
また、本例の電気カミソリにおけるヘッドカバー１０のヘッドケース７への着脱構造にあっては、上述した防水信頼性の向上の他にも、様々な有益な工夫が為されている。以下、列挙する。
【００３９】
まず、ヘッドカバー１０外への髭の切りかすの飛散防止が図られている。つまり、ヘッドカバー１０をヘッドケース７に装着した状態では、このヘッドカバー１０によってヘッド部本体９の上部に内刃５を内包せる閉空間が形成され、髭の切りかすの周囲への飛散防止を図っている。この閉空間は、具体的に、ヘッドカバー１０の枠体２１の下縁が防水蓋材８の上面外縁に沿って隙間無く当接することで形成されている。この閉空間によると、外刃６と内刃５とで切断された髭の切りかすを閉空間内にとどまらせることができるので、髭の切りかすの周囲への飛散防止が図られているのである。
【００４０】
更に、上記閉空間に溜まった髭の切りかすも容易に除去できるようにされている。なお、髭の切りかすの除去は、ヘッドカバー１０をヘッドケース７から外し、水等の液体で洗い流したり、ブラシで掃いたりして行われる。髭の切りかすの除去を容易にするのは、まず、防水蓋材８の上面がフラット形状に形成されたことにある。これにより、防水蓋材８の上面に髭の切りかすが載積しても、髭の切りかすの除去が容易に行い得るようになっている。また、閉空間を形成させるヘッドカバー１０のヘッドケース７への係合部分（釦側係止爪５６とカバー側係止爪６３との係合部分）が上記閉空間外に位置されたことにもある。ヘッドカバー１０のヘッドケース７への係合部分は通常部位に比べて形状が複雑にならざるを得ない部位であり、この部位が閉空間内にあると、複雑な形状の部分に髭の切りかすが入り込み、清掃をしても除去されにくくなるのであるが、上述したようにヘッドカバー１０のヘッドケース７への係合部分を閉空間外に位置させたので、この閉空間からの髭の切りかすの除去が容易に行い得るようになっているのである。
【００４１】
また、ヘッドケース７に装着したヘッドカバー１０の剛性の向上も図られている。電気カミソリの使用時にヘッドカバー１０を肌面に押し当てた際には、ヘッドカバー１０には肌面から主に前後方向の荷重が加えられる。このヘッドカバー１０に肌面からかかる荷重はカバー体２０に直接負荷されるのであるが、このカバー体２０を構成せる前部カバー体２０ａ、後部カバー体２０ｂにおける左右方向の両端の内面には、それぞれ内方に突出する係合突片６８が設けられている（図４）。この係合突片６８は電気カミソリを肌に沿わせる方向である前後方向に面するようにした板片状に形成されている。つまり、この係合突片６８は上下に長い縦板であり、縦板状の係合突片６８の扁平な板面は左右方向に平行で且つ前後方向に直交しているものである。なお、左右方向は内刃３が摺動する方向であり、前後方向はこの左右方向に水平面上で直交する方向である。そして、この係合突片６８をヘッド部本体９の外表面に設けたスリット状の溝部６９に嵌合させているのである。ここで、防水蓋材８の左右方向の端面にあっては、枠体２１の垂下片６２が沿う部分の前後の両側に上下に長いリブ７０が１対形成されている。そして、上記スリット状の溝部６９は、この枠体２１の垂下片６２と１対のリブ７０との間で形成される左右方向に切り込まれたような１対のスリット状の空間で構成されている（図９）。
【００４２】
しかして、電気カミソリの使用時に、ヘッドカバー１０に肌面から前後方向の荷重が加えられたとしても、カバー体２０の前後方向に面する板片状の係合突片６８がヘッド部本体９のスリット状の溝部６９に嵌合したことで、この前後方向の荷重が直接負荷されるカバー体２０をヘッド部本体９に強固に支持させることができ、カバー体２０、ひいてはヘッドカバー１０の剛性の向上が図られているのである。これによると、ヘッドカバー１０に備えた外刃６の内刃５への安定接触が確保され、騒音の発生や刃５，６の寿命の低下等の防止を図ることができるのである。
【００４３】
また、このヘッドカバー１０では、特に、トリマ駆動杆３８の作動に支障をきたさないようにされている。トリマ駆動杆３８は、一端を駆動子１６に装着し、他端をトリマ刃３７の可動刃に連結するものであり、ヘッドカバー１０がヘッドケース７に装着された状態では、このトリマ駆動杆３８は、枠体２１の後部の下面にある切り欠き部６６を連通して配置される。ここで、ヘッドカバー１０をヘッドケース７に装着し、枠体２１の下面と防水蓋材８の上面とが当接した状態では、切り欠き部６６の縁部に設けた段部６７の下縁が防水蓋材８の後部の側面上部に引っ掛かっており、トリマ駆動杆３８が連通する切り欠き部６６近傍における枠体２１の下面と防水蓋材８の上面との当接状態の剛性が高められているのである。しかして、電気カミソリの使用時にヘッドカバー１０を肌面に押し当てた際に、ヘッドカバー１０の後部に肌面から前方向に荷重が加わったとしても、切り欠き部６６近傍では、枠体２１の段部６７の下縁が防水蓋材８の後部の側面上部に引っ掛かり、枠体２１が内方に凹むようなことが防止されているので、枠体２１の内方への凹み変形によるトリマ駆動杆３８の作動への干渉が生じないようにされているのである。
【００４４】
また、ヘッドカバー１０のヘッドケース７への装着状態の成否の確認が容易に行われるようにされている。これは、ヘッドカバー１０をヘッドケース７に正常に装着した状態で、ヘッドカバー１０のカバー体２０の下縁が重なって位置するヘッドケース７の外表面の部位に、カバー体２０の下縁形状と同一形状の段部７１を設けたことで行われている。これによると、ヘッドカバー１０をヘッドケース７に装着する際に、きちんと装着されないと、カバー体２０の下縁とヘッドケース７の外表面に刻設された段部７１とがずれて位置し、これは見た目にも明白であるから、ヘッドカバー１０のヘッドケース７への装着状態の成否の確認を容易に行わせることができるのである。
【００４５】
また、カバー着脱釦２５の操作性の向上も図られている。上述したように、ヘッドケース７に取付けたカバー着脱釦２５は、下端がヘッドケース７に枢支し、上端が内外方向に突没自在になっているのであるが、これによると、ヘッドケース７の下に位置したグリップ部２を把持した手が誤ってカバー着脱釦２５に触れたとしても、このカバー着脱釦２５はその下端では回動しにくく、カバー着脱釦２５の誤作動を防止が図られているのである。更に、ヘッドカバー１０をヘッドケース７に装着した状態では、カバー着脱釦２５の外表面とヘッドカバー１０の外表面とが略面一にされており、これによると、不意に指が電気カミソリの外表面にあたった場合にも、その指がカバー着脱釦２５だけに当たってカバー着脱釦２５を誤って押してしまう可能性を低減できるので、カバー着脱釦２５の誤作動の防止が図られているのである。
【００４６】
【発明の効果】
上記のように本発明の請求項１記載の発明にあっては、電源供給を行う電池や回路部を内蔵するグリップ部と、電池からの給電で駆動するモータやこのモータの駆動により摺動する内刃、及びこの内刃の外面に沿って配置した外刃を備えたヘッド部とを有し、このヘッド部をグリップ部に対して相対的に移動可能にして構成した電気カミソリにおいて、上方が開口せる容器状のヘッドケース内にモータを内蔵すると共にヘッドケースの上方にモータと連結して内刃を配置し、このヘッドケースの上方開口に防水蓋材を水密的に固定し、外刃を備えたヘッドカバーを、その内部に内刃及び防水蓋材を収納し、ヘッドケースに着脱自在に係合したので、ヘッドカバーは防水蓋材ではなく、ヘッドケースに着脱自在にされるので、たとえ、ヘッドカバーに外的負荷がかかってヘッドケースから外れようとしても、その際に防水蓋材には特にヘッドカバーやヘッドケースから負荷がかかるものではなく、ヘッドケースの防水蓋材による水密構造を変わらず維持させることができる。したがって、たとえ、ヘッド部の高さ寸法を小さくしたとしても、ヘッドケースの防水蓋材による水密構造は維持されるので、ヘッド部の高さ寸法を小さく設定してヘッド部の首振り範囲を更に大きく設定することも可能とされている。
【００４７】
また、請求項２記載の発明にあっては、請求項１の効果に加えて、ヘッドケースに装着したヘッドカバーが防水蓋材の上部で内刃を収納する閉空間を形成し、ヘッドカバーのヘッドケースへの係合部分を上記閉空間外に位置させたので、髭の切りかすをヘッドケースとヘッドカバーとで形成せる閉空間内にとどまらせることで、髭の切りかすの周囲への飛散を防止することができる。また、通常部位に比べて形状が複雑にならざるを得ないヘッドカバーのヘッドケースへの係合部分が上記閉空間の外に位置しているので、閉空間内を簡素な形状にでき、閉空間を容易に清掃できて髭の切りかすを簡単に取り除くことができるのである。
【００４８】
また、請求項３記載の発明にあっては、請求項１の効果に加えて、防水蓋材の上面をフラット形状に形成したので、閉空間からの髭の切りかすの除去を容易に行わせることができるのである。
【００４９】
また、請求項４記載の発明にあっては、請求項１の効果に加えて、外刃を備えたカバー体の内面に枠体を取付けてヘッドカバーを形成し、この枠体から垂下片を下方に垂設すると共に、この垂下片の先端にヘッドケースに引っ掛け係合させるカバー側係止爪を突設したので、枠体によって行われるヘッドカバーのヘッドケースへの装着は、カバー体の形状に関わらず行われることから、カバー体の形状を小さくでき、結果、ヘッド部の小型化を図ってヘッド部の首振り範囲を更に大きく設定することも可能とできるのである。
【００５０】
また、請求項５記載の発明にあっては、請求項１の効果に加えて、ヘッドカバーをヘッドケースに着脱させるためのカバー着脱釦をヘッドケースの外表面に設け、カバー着脱釦の下端をヘッドケースに枢支させてカバー着脱釦の上端を内外方向に突没自在にしたので、ヘッドケースの下に位置したブリップ部を把持した手が誤ってカバー着脱釦に触れたとしても、このカバー着脱釦はその下端では回動しにくく、つまりカバー着脱釦を誤って押圧してしまう可能性を低減でき、カバー着脱釦の誤作動を防止することができるのである。
【００５１】
また、請求項６記載の発明にあっては、請求項５の効果に加えて、ヘッドケースに装着したヘッドカバーの外表面を、ヘッドケースに設けたカバー着脱釦の外表面と略面一にしたので、不意に指が電気カミソリの外表面にあたった場合にも、その指がカバー着脱釦だけに当たってカバー着脱釦を誤って押してしまうことを防止でき、更なるカバー着脱釦の誤作動の防止を図ることができるのである。
【００５２】
また、請求項７記載の発明にあっては、請求項５の効果に加えて、カバー着脱釦に上方に突出する突出片を設け、このカバー着脱釦の下端に枢支突起を突設し、ヘッドケースの外表面に上下長い凹溝を形成し、この凹溝の一部にトンネル部を設け、カバー着脱釦とヘッドケースの外表面との間に弾性体を介装し、トンネル部を有した凹溝内にカバー着脱釦の突出片を挿入すると共に、ヘッドケースの外表面に形成した枢支孔にカバー着脱釦の枢支突起を枢支させ、上端が回動端となるようにカバー着脱釦をヘッドケースに取付けたので、ヘッドケースにカバー着脱釦を装着させるのに、特に他部品を使用しないでカバー着脱釦とヘッドケースとの間の係合や嵌合によって行うことができ、部材点数の低減や取付け作業の容易化を図ることができるのである。
【００５３】
また、請求項８記載の発明にあっては、請求項１の効果に加えて、外刃を備えたカバー体の内面に枠体を取付けてヘッドカバーを形成し、この枠体に、駆動子に装着してトリマ刃を連動させるトリマ駆動杆を連通させる切り欠き部を形成し、この切り欠き部の縁部に外方且つ下方に突出する段部を形成し、ヘッドケースにヘッドカバーを装着したとき、防水蓋材の上面に枠体の下面を当接すると共に、段部の下縁を防水蓋材の外表面に引っ掛けたので、ヘッドカバーをヘッドケースに装着した状態では、段部の下縁が防水蓋材の外表面に引っ掛かることで、切り欠き部近傍の枠体の剛性強度が向上しており、たとえヘッドカバーに外的負荷が加わったとしても、切り欠き部近傍の枠体の形状は維持され、切り欠き部に連通したトリマ駆動杆の正常動作を確保することができる。
【００５４】
また、請求項９記載の発明にあっては、請求項１の効果に加えて、外刃を備えたカバー体の内面に枠体を取付けてヘッドカバーを形成し、ヘッドカバーをヘッドケースに装着した状態で、ヘッドケースに防水蓋材を装着してなるヘッド部本体の外表面にカバー体が覆い被さるようにし、カバー体の内面に内方に突出する係合突片を設けると共に、この係合突片を電気カミソリの肌に沿わせる方向である前後方向に面するようにした板片状に形成し、この係合突片をヘッド部本体の外表面に設けたスリット状の溝部に嵌合させたので、ヘッドカバーをヘッドケースに装着した状態では、前後方向に面する板片状の係合突片がスリット状の溝部に嵌合され、肌面からヘッドカバーにかかる前後方向の荷重に対して耐荷重性をもってヘッドカバーをヘッドケースに装着でき、ヘッドケースに装着したヘッドカバーの剛性を向上させることができるのである。
【００５５】
また、請求項１０記載の発明にあっては、請求項１の効果に加えて、外刃を備えたカバー体の内面に枠体を取付けてヘッドカバーを形成し、ヘッドカバーをヘッドケースに装着した状態で、ヘッドケースの外表面にカバー体が覆い被さるようにし、ヘッドケースの外表面のカバー体の下縁が重なって位置する部位に、カバー体の下縁形状と同一形状の段部を設けたので、ヘッドカバーをヘッドケースに装着する際に、きちんと装着されないと、カバー体の下縁とヘッドケースの外表面に刻設された段部とがずれて位置し、これは見た目にも明白であるから、ヘッドカバーのヘッドケースへの装着状態の成否の確認を容易に行わせることができるのである。
【図面の簡単な説明】
【図１】本発明の実施の形態の例を示すヘッドカバーを外した状態の電気カミソリの分解斜視図である。
【図２】同上の電気カミソリの前面図である。
【図３】同上のヘッド部の分解斜視図である。
【図４】同上のヘッドカバーの分解斜視図である。
【図５】同上のグリップ部の分解斜視図である。
【図６】同上の後部ハウジングを外した状態の電気カミソリの後面図である。
【図７】同上のヘッド部の前方から見た分解斜視図である。
【図８】同上のヘッド部の後方から見た分解斜視図である。
【図９】同上のカバー体を外した状態のヘッド部の斜視図である。
【図１０】同上のヘッド部の斜視図である。
【図１１】従来技術の電気カミソリの正面断面図である。
【図１２】同上のヘッド部の分解斜視図である。
【符号の説明】
１　ヘッド部
２　グリップ部
３　電池
４　モータ
５　内刃
６　外刃
７　ヘッドケース
８　防水蓋材
１０　ヘッドカバー
２５　カバー着脱釦
【図１】
2004016527.tif 000003
【図２】
2004016527.tif 000004
【図３】
2004016527.tif 000005
【図４】
2004016527.tif 000006
【図５】
2004016527.tif 000007
【図６】
2004016527.tif 000008
【図７】
2004016527.tif 000009
【図８】
2004016527.tif 000010
【図９】
2004016527.tif 000011
【図１０】
2004016527.tif 000012
【図１１】
2004016527.tif 000013
【図１２】
2004016527.tif 000014